(57)【要約】【課題】可燃性を有するＨＣ冷媒を使用した自動販売機において、万一の冷媒漏れに対するリスクを低減し安全性を高める。【解決手段】可燃性冷媒を封入した冷凍装置８を備えた自動販売機の箱体１、扉体２より内部と外部の仕切り外隔壁をなす自動販売機において、扉体２の閉止維持力を外隔壁の強度と同等以上とし、外隔壁の強度の中で箱体１の天井壁の強度が最も弱い強度となるようにして、万一の冷媒漏れ時にも外壁は破壊されず自動販売機の周辺への危害を防ぐことができる。【選択図】図１
2005141471.tif 000002
【特許請求の範囲】
【請求項１】
箱体、扉体により、内部と外部の仕切り外隔壁をなす自動販売機において、前記扉体の閉止維持力を前記外隔壁の強度と同等以上とし、前記外隔壁の強度の中で前記箱体の天井壁の強度が一番弱くなるように構成したことを特徴とする自動販売機。
【請求項２】
前記天井壁の一部に壁厚を薄くした箇所を設けたことを特徴とする請求項１に記載の自動販売機。
【請求項３】
天井壁と背面壁と両側壁と底面板で構成された箱体と扉体により、内部と外部の仕切り外隔壁をなす自動販売機において、前記天井壁に穴を設け、前記外隔壁の強度の中で前記箱体の前記天井壁の強度が一番弱くなるようにしたことを特徴とする請求項１に記載の自動販売機。
【請求項４】
天井壁の穴を塞ぐようにカバー部材を設け、前記カバー部材の取り付け強度は前記外隔壁の強度と同等以下としたことを特徴とする請求項３に記載の自動販売機。
【請求項５】
箱体、扉体により、内部と外部の仕切り外隔壁をなす自動販売機において、前記扉体の閉止維持力を前記外隔壁の強度と同等以上とし、前記天井壁に、開閉可能な、前記外隔壁の強度より弱い閉止維持力である扉を設け、前記外隔壁の強度の中で前記箱体の前記天井壁の強度が一番弱くなるようにしたことを特徴とする自動販売機。
【請求項６】
天井壁と背面壁と両側壁と底面板で構成された箱体と扉体により、内部と外部の仕切り外隔壁をなす自動販売機において、前記扉体の閉止維持力を前記外隔壁の強度と同等以上とし、前記外隔壁の強度の中で、天井壁と背面壁の接合部の強度が一番弱くなるように構成したことを特徴とする自動販売機。
【発明の詳細な説明】
【技術分野】
【０００１】
本発明は、自動販売機にかかり、特に、可燃性冷媒使用時の箱体の構造に関する。
【背景技術】
【０００２】
近年、地球のオゾン層を保護する観点から、冷却装置の冷凍サイクルに使用されていた冷媒ＣＦＣ（クロロフルオロカーボン）−１２あるいはＨＣＦＣ（ハイドロクロロフルオロカーボン）−２２といった塩素原子を含んだ冷媒の使用が規制され、塩素原子を含まず、オゾン層を破壊しないＨＦＣ（ハイドロフルオロカーボン）冷媒への転換が進行している。
【０００３】
また、従来、主にＨＣＦＣ−２２を用いていた自動販売機においては、その代替冷媒としてＨＦＣ冷媒の混合冷媒であるＲ４０７Ｃが採用され販売されている。
【０００４】
しかしながら、現在用いられているＲ４０７ＣなどのＨＦＣ冷媒は、オゾン層破壊はないものの、地球温暖化係数が高いため、地球温暖化に対しては不十分な冷媒となり、そのため地球温暖化係数の低い冷媒として、ＨＦＣに代わってＨＣ（ハイドロカーボン）等の自然系冷媒が注目されている。
【０００５】
一方、ＨＣ系冷媒は可燃性を有しているため、冷却装置における冷凍サイクルの冷媒として使用する場合には安全性確保が課題であり、冷媒漏れに対する配慮、つまり拡散対策による事前予防策が必要である。
【０００６】
このことから、密閉された庫内に可燃性冷媒を漏らさないようにした例として冷凍装置をカスケード式に接続し、可燃性冷媒を使用した冷凍サイクルは庫外に設け、庫内側にはブラインを流し冷却する方法（例えば、特許文献１参照）があります。
【０００７】
また、可燃性冷媒の漏洩が生じても内部への冷媒漏れを少なくし、発火、爆発の危険性を回避できる冷蔵庫について開示したもの（例えば、特許文献２参照）があります。
【０００８】
また、庫内での冷媒の漏れを検知し、ダンパーを設けた排気口より漏洩冷媒を排出させる自動販売機について開示したもの（例えば、特許文献３参照）があります。
【特許文献１】特開２００１−１１８１３４号公報
【特許文献２】特開平９−４２８１７号公報
【特許文献３】特開２００１−１３４８２７号公報
【発明の開示】
【発明が解決しようとする課題】
【０００９】
しかしながら、一般的な自動販売機の構造では、万一、可燃性冷媒が漏洩した時に爆発等の事故が発生した場合、自動販売機周辺の安全確保という課題を有していた。
【００１０】
本発明の目的は、自動販売機の箱体、扉体の強度を工夫することにより、可燃性の冷媒を用いた時に問題となる冷媒漏洩時の火災や爆発等の重大事故の安全対応自動販売機を提供することにある。
【課題を解決するための手段】
【００１１】
上記目的を達成するために、本発明は箱体、扉体により、内部と外部の仕切り外隔壁をなして構成される自動販売機において、扉体閉止維持力を外隔壁強度と同等以上とし、外隔壁強度の中で箱体の天井壁の強度が一番弱い強度となるようにした。
【発明の効果】
【００１２】
本発明の自動販売機は、箱体の外隔壁の強度を工夫することにより、特に可燃性冷媒が自動販売機庫内に漏洩し、火災や爆発に至っても爆風を天井方向にのみ排出させるので、自動販売機周辺への危害を抑えることができる。
【発明を実施するための最良の形態】
【００１３】
第１の発明は、箱体、扉体より内部と外部の仕切り外隔壁をなす自動販売機において、扉体の閉止維持力を外隔壁の強度と同等以上とし、外隔壁の強度の中で箱体の天井壁の強度が一番弱い強度となるようにしたことで、可燃性冷媒が自動販売機庫内に漏洩し火災爆発に至っても爆風を天井方向にのみ排出させ、自動販売機周辺への危害を抑えることができる。
【００１４】
第２の発明は、特に、第１の発明の天井壁の一部に壁厚を薄くした箇所を設けることにより、外隔壁の強度の中で箱体の天井壁の強度が一番弱い強度となるように構成することができる。
【００１５】
第３の発明は、天井壁と背面壁と両側壁と底面板で構成された箱体と扉体により、内部と外部の仕切り外隔壁をなす自動販売機において、天井壁に穴を設け、外隔壁の強度の中で箱体の天井壁の強度が一番弱くなるようにしたことで、可燃性冷媒が自動販売機庫内に漏洩し火災爆発に至っても爆風を天井方向にのみ排出させ、自動販売機周辺への危害を抑えることができる。
【００１６】
第４の発明は、特に、第３の発明の天井壁の穴を塞ぐようにカバー部材を設け、カバー部材の取り付け強度を外隔壁の強度と同等以下にし、内部と外部の通気を遮断でき、内部を循環している冷気の漏れを防止することができる。
【００１７】
第５の発明は、箱体、扉体により、内部と外部の仕切り外隔壁をなす自動販売機において、扉体の閉止維持力を外隔壁の強度と同等以上とし、天井壁に、開閉可能な、外隔壁の強度より弱い閉止維持力である扉を設け、外隔壁の強度の中で箱体の天井壁の強度が一番弱くなるようにしたことで、可燃性冷媒が自動販売機庫内に漏洩し火災爆発に至っても爆風を天井方向にのみ排出させ、自動販売機周辺への危害を抑えることができる。
【００１８】
第６の発明は、天井壁と背面壁と両側壁と底面板で構成された箱体と扉体により、内部と外部の仕切り外隔壁をなす自動販売機において、扉体の閉止維持力を外隔壁の強度と同等以上とし、外隔壁の強度の中で、天井壁と背面壁の接合部の強度が一番弱くなるように構成したことで、可燃性冷媒が自動販売機庫内に漏洩し火災爆発に至っても爆風を天井方向にのみ排出させ、自動販売機周辺への危害を抑えることができる。
【００１９】
以下、本発明の実施の形態について、図面を参照しながら説明する。なお、この実施の形態によって本発明が限定されるものではない。
【００２０】
（実施の形態１）
図１は、本発明の実施の形態１における自動販売機の縦断面図である。図２は、同実施の形態の自動販売機の背面斜視図である。
【００２１】
図１に示すように、箱体１と扉体２により内部と外部の仕切り外隔壁をなしている。
【００２２】
また、扉体２に設けた商品取出口３を備え、箱体１の庫内の商品収納室４にはサーペンタイン式の商品収納棚５、商品取出口３に導かれる商品搬出シュータ６が備えられている。
【００２３】
また、自動販売機本体の下部に位置する機械室７の室内に、冷凍装置８を備える。冷凍装置８は、凝縮器９、凝縮機ファン１０、圧縮機１１、庫内に蒸発器１２、庫内ファン１３を備え、配管１４で接続している。蒸発器１２により箱体１内の空気が冷却され、冷却された空気は、庫内ファン１３により庫内を循環する。
【００２４】
可燃性冷媒を自動販売機に用いた場合、商品収納室４は密閉空間なので、庫内に設置された蒸発器１２、配管１４あるいは、蒸発器１２と配管１４との接続部等から冷媒が漏れた場合には、可燃範囲・爆発下限範囲になり易く、何らかの着火源があると火災や爆発が起こる。
【００２５】
このことから、庫内において可燃性冷媒が漏洩し、火災や爆発が生じた時に、自動販売機周辺への危害を抑える必要がある。
【００２６】
そのために、例えば、図２に示すように、箱体１の天井壁の一部にＶ型溝１５を設け、天井壁の一部の壁厚を薄くする。
【００２７】
以上のように構成された自動販売機について、以下その作用を説明する。
【００２８】
扉体２を箱体１の強度と同等以上の閉止維持力で閉めることで、Ｖ型溝１５を設けて一部の壁厚を薄くした天井壁が自動販売機外隔壁強度の中で最も弱い部分となる。
【００２９】
よって、庫内で可燃性冷媒が漏洩して火災や爆発が起き、高くなった庫内空気圧力により、外隔壁強度の中で最も強度の弱い天井部分が押し破られるようになる。その際、爆風は、天井方向だけに吹き出し、天井壁以外の扉体を含む自動販売機外隔壁の５隔壁からは爆風が吹き出さすことはないため、自動販売機周辺への危害を抑えることができる。
【００３０】
以上のように、本実施の形態の自動販売機は、外隔壁をなす箱体１の天井壁にＶ型溝１５を設けて天井壁の一部の壁厚を薄くすることで、扉体２を含めた自動販売機外隔壁強度の中で天井壁が最も弱くなり、庫内で可燃性冷媒が漏洩して火災や爆発が起きた際、高くなった庫内空気圧力により、外隔壁強度の中で最も強度の弱い天井部分が押し破られ、爆風は、天井方向だけに吹き出し、天井壁以外の扉体を含む自動販売機外隔壁の５隔壁からは爆風が吹き出さすことはないため、自動販売機周辺への危害を抑えることができる。
【００３１】
（実施の形態２）
図３は、本発明の実施の形態２による自動販売機の背面斜視図である。なお、実施の形態１と同一構成については、同一記号を付して詳細な説明を省略する。
【００３２】
図３において、箱体１の天井壁に穴１６を設けた構造である。また、穴１６を塞ぐようにカバー部材１７を取り付けている。
【００３３】
以上のように構成された自動販売機について、以下その作用を説明する。
【００３４】
扉体２を箱体１の強度と同等以上の閉止維持力で閉めることで、穴１６を設けた天井壁が自動販売機外隔壁強度の中で最も弱い部分となる。
【００３５】
また、穴１６を塞ぐカバー部材１７を外隔壁の強度と同等以下の強度で取り付けることにより、内部と外部の通気を遮断し、内部を循環している冷気の漏れを防止することができる。
【００３６】
以上のように、本実施の形態の自動販売機は、外隔壁をなす箱体１の天井壁に穴１６を設けることで、扉体２を含めた自動販売機外隔壁強度の中で天井壁が最も弱くなり、庫内で可燃性冷媒が漏洩して火災や爆発が起きた際、高くなった庫内空気圧力により、外隔壁強度の中で最も強度の弱い天井部分が押し破られ、爆風は、天井方向だけに吹き出し、天井壁以外の扉体を含む自動販売機外隔壁の５隔壁からは爆風が吹き出さすことはないため、自動販売機周辺への危害を抑えることができる。
【００３７】
また、穴１６を塞ぐカバー部材１７を外隔壁の強度と同等以下の強度で取り付けることにより、内部と外部の通気を遮断し、内部を循環している冷気の漏れを防止することができる。
【００３８】
（実施の形態３）
図４は、本発明の実施の形態３による自動販売機の背面斜視図である。なお、実施の形態１と同一構成については、同一記号を付して詳細な説明を省略する。
【００３９】
図４において、箱体１の天井壁に、開閉可能な、外隔壁の強度より弱い閉止維持力である扉１８を設けた構造である。
【００４０】
以上のように構成された自動販売機について、以下その作用を説明する。
【００４１】
扉体２を箱体１の強度と同等以上の閉止維持力で閉めることで、開閉可能な、外隔壁の強度より弱い閉止維持力である扉１８を設けた天井壁が自動販売機外隔壁強度の中で最も弱い部分となる。
【００４２】
また、常に扉１８が閉じた状態であるため、内部と外部の通気を遮断し、内部を循環している冷気の漏れを防止することができる。
【００４３】
以上のように、本実施の形態の自動販売機は、外隔壁をなす箱体１の天井壁に、開閉可能な、外隔壁の強度より弱い閉止維持力である扉１８を設けることで、扉体２を含めた自動販売機外隔壁強度の中で天井壁が最も弱くなり、庫内で可燃性冷媒が漏洩して火災や爆発が起きた際、高くなった庫内空気圧力により、外隔壁強度の中で最も強度の弱い天井壁に設けた開閉可能な扉１８が開放され、爆風は、天井方向だけに吹き出し、天井壁以外の扉体を含む自動販売機外隔壁の５隔壁からは爆風が吹き出さすことはないため、自動販売機周辺への危害を抑えることができる。
【００４４】
また、常に扉１８が閉じた状態であるため、内部と外部の通気を遮断し、内部を循環している冷気の漏れを防止することができる。
【００４５】
（実施の形態４）
図５は、本発明の実施の形態４による自動販売機の背面斜視図である。なお、実施の形態１と同一構成については、同一記号を付して詳細な説明を省略する。
【００４６】
図５において、例えば、箱体１の構成する天井壁と背面壁に連続するようにスリット１９を設けた構造である。
【００４７】
以上のように構成された自動販売機について、以下その作用を説明する。
【００４８】
扉体２を箱体１の強度と同等以上の閉止維持力で閉めることで、スリット１９を設けた天井壁と背面壁の接合部が自動販売機外隔壁強度の中で最も弱い部分となる。
【００４９】
以上のように、本実施の形態の自動販売機は、外隔壁をなす箱体１の天井壁と背面壁に連続するようにスリット１９を設けることで、扉体２を含めた自動販売機外隔壁強度の中で天井壁と背面壁の接合部が最も弱くなり、庫内で可燃性冷媒が漏洩して火災や爆発が起きた際、高くなった庫内空気圧力により、外隔壁強度の中で最も強度の弱い天井壁と背面壁の接合部が押し破られ、爆風は、天井方向だけに吹き出し、天井壁以外の扉体を含む自動販売機外隔壁の５隔壁からは爆風が吹き出さすことはないため、自動販売機周辺への危害を抑えることができる。
【００５０】
なお、スリットは天井壁と背面壁の接合面の少なくとも一方に設けられており、その形状は櫛型、や三角の切欠き形状が考えられる。
【産業上の利用可能性】
【００５１】
以上のように、本発明にかかる自動販売機は、密閉空間内で可燃性冷媒が漏洩し、万一、火災や爆発に至っても、その爆風を天井方向にのみ排出させることで、周辺への危害を抑えることが可能となるので、可燃性冷媒を用いている冷蔵庫等の用途にも適用できる。
【図面の簡単な説明】
【００５２】
【図１】本発明の実施の形態１における自動販売機の縦断面図
【図２】本発明の実施の形態１における自動販売機の背面斜視図
【図３】本発明の実施の形態２における自動販売機の背面斜視図
【図４】本発明の実施の形態３における自動販売機の背面斜視図
【図５】本発明の実施の形態４における自動販売機の背面斜視図
【符号の説明】
【００５３】
１    箱体
２    扉体
１６    穴
１７    カバー部材
１８    扉
【図１】
2005141471.tif 000003
【図２】
2005141471.tif 000004
【図３】
2005141471.tif 000005
【図４】
2005141471.tif 000006
【図５】
2005141471.tif 000007